(57)【要約】【課題】食品が収容された包装袋を安定的に保持することができる三角柱状の包装体を提供する。【解決手段】シートの表面に形成された複数の折曲線にて、前記シートを折り曲げることにより形成される三角柱状の包装体であって、前記包装体の底部となる前記シートの底部シート片は、前記底部シート片を略中央において折るための折り畳み線と、前記底部シート片の一部分を起立させるために前記底部シート片を貫通して形成される切り込み線とを備えており、前記切り込み線の両端を接続する仮想線分と前記折り畳み線とは、９０度未満の角度で互いに交差する包装体。【選択図】図４
2010100291.tif 000002
【特許請求の範囲】
【請求項１】
シートの表面に形成された複数の折曲線にて、前記シートを折り曲げることにより形成される三角柱状の包装体であって、
前記包装体の底部となる前記シートの底部シート片は、前記底部シート片を略中央において折るための折り畳み線と、前記底部シート片の一部分を起立させるために前記底部シート片を貫通して形成される切り込み線とを備えており、
前記切り込み線の両端を接続する仮想線分と前記折り畳み線とは、９０度未満の角度で互いに交差する包装体。
【請求項２】
前記切り込み線は、半円形状である請求項１に記載の包装体。
【請求項３】
前記仮想線分と前記折り畳み線との交差角度は、１５度から７５度である請求項１又は２に記載の包装体。
【発明の詳細な説明】
【技術分野】
【０００１】
本発明は、包装体に関する。
【背景技術】
【０００２】
従来から混ぜご飯の素やお総菜、液状のカレーのルー、スープ、シチュー等の種々の食品に関するレトルト商品が知られている。このようなレトルト商品は、例えば、図９の斜視図に示すような包装体１００により、種々の食品が収容された包装袋（図示せず）を包装して形成されており、デパートやスーパーマーケット、コンビニエンスストア等の食品売り場の陳列棚に立てた状態で配置されている。
【０００３】
包装袋が収納される包装体１００は、例えば、平面視矩形状の紙製シートの表面に形成された複数の折曲線にて、当該シートを折り曲げることにより三角柱状に形成される。包装体の外表面には、レトルト商品の名称や、原材料名、保存方法等の各種情報が記載されている。また、折り曲げられるシートの端部は、接着剤により接着されており、組み立てられた包装体は、三角柱状の形状を維持できるように形成されている。
【０００４】
また、三角柱状に形成された包装体１００の底部となるシートの底部シート片１０１には、この底部シート片を略中央において折り曲げるための折り畳み線１０２が形成されている。この折り畳み線１０２は、三角柱状の包装体を図１０に示すような平面状の形状に変形させるために設けられるものであり、これにより、複数の包装体１００をコンパクトにまとめて搬送することができる。
【０００５】
平面状に折り畳まれた包装体１００を用いて、食品が収容された包装袋を包装するには、平面状の包装体１００を三角柱状の形状に組み立てて、その内部に包装袋を配置し、接着剤や接着シール等により包装体１００と包装袋とを互いに固定することにより行う。
【発明の開示】
【発明が解決しようとする課題】
【０００６】
しかしながら、上述のような構造を有する平面状の包装体を三角柱状に組み立てて、その内部に商品を収容した包装袋を収納した商品を形成する場合、包装体の底部に形成される折り畳み線を中心として底部に折り癖が残るため、図１１に示すように、包装体の底部が、折り畳み線を中心にして外側に撓んだ状態となってしまうという問題があった。このように、包装体の底部が、折り畳み線を中心にして外側に撓んだ状態となってしまうと、包装体により包装される商品を陳列棚に載置した場合に、包装体の底部の一部分のみが陳列棚の載置面に当接することになり、陳列棚に置かれる商品が傾いてしまうという問題があった。また、デパートやスーパーマーケット等の食品売り場の従業員や商品購入者の手が僅かに商品に当たった場合や、少しの振動が付与された場合に、商品が揺れ動いたり、倒れたりしてしまい、安定的に商品を保持して陳列棚に載置することが困難になってしまう。
【０００７】
本発明は、このような問題を解決するためになされたものであって、食品が収容された包装袋を安定的に保持することができる三角柱状の包装体の提供を目的とする。
【課題を解決するための手段】
【０００８】
本発明の上記目的は、シートの表面に形成された複数の折曲線にて、前記シートを折り曲げることにより形成される三角柱状の包装体であって、前記包装体の底部となる前記シートの底部シート片は、前記底部シート片を略中央において折るための折り畳み線と、前記底部シート片の一部分を起立させるために前記底部シート片を貫通して形成される切り込み線とを備えており、前記切り込み線の両端を接続する仮想線分と前記折り畳み線とは、９０度未満の角度で互いに交差する包装体により達成される。
【０００９】
また、この包装体において、前記切り込み線は、半円形状であることが好ましい。
【００１０】
また、前記仮想線分と前記折り畳み線との交差角度は、１５度から７５度であることが好ましい。
【発明の効果】
【００１１】
本発明によれば、食品が収容された包装袋を安定的に保持することができる三角柱状の包装体を提供することができる。
【発明を実施するための最良の形態】
【００１２】
以下、本発明に係る包装体について添付図面を参照して説明する。図１は、本発明に係る包装体を示す斜視図である。図２は、本発明に係る包装体の側面図であり、図３は、図２のＡ−Ａ断面図である。図４は、本発明に係る包装体の展開図である。
【００１３】
本実施形態に係る包装体１は、シートを折り曲げることにより形成する三角柱状のパッケージであり、食品が収容された包装袋（図示せず）を包装するものである。本実施形態に係る包装体１により包装される包装袋は、内部に種々の食品が収容される食品用包装袋である。この包装袋は、密閉袋であり、主にプラスチックを主体とする透明フィルムにより形成されている。包装袋の側縁には、袋の開封性を高めるためのＩノッチやＶノッチといった各種の切れ目が設けられている。この切れ目を起点として包装袋を引き裂くことにより開封することが可能となるように包装袋は形成されている。
【００１４】
包装袋に収容される食品とは、各種食品素材やその加工品、これらを用いた食品を乾燥状態あるいは半乾燥状態としたものを含む。具体的な食品素材としては、牛肉、豚肉、鶏肉、羊肉等の畜肉及びこれらを加工した加工食肉、海水魚、淡水魚及び甲殻類、貝類等の魚介類及びこれらの加工品、鶏卵、うずら卵、魚卵等の卵類、米、小麦、トウモロコシ、アワ、ヒエ等の穀類、大豆、インゲン豆、エンドウ豆、落花生等の豆類、さらに上記の食品素材の加工品、例えば大豆より抽出した大豆タンパク質や、トウモロコシより抽出されたトウモロコシ澱粉、牛肉より分離されたヘッド等が挙げられる。これら１種のみを用いても良いし、２種以上の組み合わせ使用も可能である。
【００１５】
上記の食品素材やその加工品を用いた食品の具体的な例としては、混ぜご飯の素や、カレー、シチュー等の煮込み料理食品、牛丼、親子丼、中華丼などのどんぶりもの、梅粥、鮭粥、中華粥等の粥類、コーンスープ、ポタージュスープ、コンソメスープ等のスープ類、ハンバーグ、ミートボール、ハム、プレスハム、ソーセージ、ベーコン、ミートローフ等の畜肉加工食品、植物蛋白等を利用した疑似畜肉加工食品、板付き蒲鉾、蒸し蒲鉾、焼き蒲鉾、かに風味蒲鉾、竹輪、揚げ蒲鉾、はんぺん、なると、笹蒲鉾、魚肉ソーセージ、魚肉ハム、魚介類を用いたハンバーグ、つみれ、伊達巻き等の水産練り製品、スクランブルエッグ、卵焼き、厚焼き卵、かき卵等の卵を原材料として加工した卵加工食品、玉子豆腐、ごま豆腐、厚揚げ、油揚げ、コンニャク、餅、ふ、あられ等の穀物を主原料として加工した穀物加工食品、餃子、シュウマイ、春巻き、コロッケ、お好み焼き、たこ焼き、カキ揚げ等の惣菜類、練りウニ、練り梅、わさび、しょうが、からし等の練り調味料、及びスープなどが挙げられ、これら１種のみでも２種以上を用いたものでも良い。
【００１６】
本発明に係る包装体１は、図４に示すような平面視矩形状のシート１０を三角柱状に折り曲げることにより形成されている。シート１０の表面には、所定間隔で３カ所に平行に設けられる直線状の複数の折曲線１１ａ，１１ｂ，１１ｃが形成されている。これら複数の折曲線１１ａ，１１ｂ，１１ｃによって、シート１０は、接合用シート片１２、底部シート片１３、後面シート片１４、前面シート片１５に画定されている。シート１０として、例えば、厚紙や樹脂製シート、或いは、これらの積層体を用いることができる。また、折曲線１１ａ，１１ｂ，１１ｃは、例えば、ミシン目線やハーフカット線により形成することが可能である。
【００１７】
接合用シート片１２は、シート１０を折り曲げて三角柱状に組み立てた場合にその三角柱状の形状を維持するために、前面シート片１５の端部に重ね合わされて接着剤により接合される部分である。なお、接着剤により接合用シート片１２と前面シート片１５とを接合する代わりに、接着テープにより接合用シート片１２と前面シート片１５とを接合してもよい。
【００１８】
底部シート片１３は、三角柱状に組み立てられた包装体１の底部となる部分であり、その略中央には折り畳み線１６を備えている。この折り畳み線１６は、底部シート片１３をその略中央において折り畳むことにより、三角柱状の包装体１を平面状の形状に変形させてコンパクト化させるために設けられるものであり、折曲線１１ａ，１１ｂ，１１ｃと略平行となるように形成されている。また、折り畳み線１６は、例えば、ミシン目線やハーフカット線により形成されている。ここで、ミシン目線とは、点線状に切り込み目を入れた切り目のことをいう。また、ハーフカット線とは、シート１０の厚みを不連続にする手段により形成された線をいう。シート１０の厚みを不連続にする手段としては、例えば、刃によって所定深さの切り溝を形成する切込部形成手段や、プレス加工によって所定幅及び所定深さの溝を形成する凹部形成手段等を挙げることができる。
【００１９】
また、底部シート片１３は、その一部分を包装体１の内側に起立させて起立部１３ａを形成するための切り込み線１７を備えている。この切り込み線１７は、平面視半円形状となるように、底部シート片１３を貫通して形成されている。また、切り込み線１７は、その各端部が折り畳み線１６を挟んだ両側にそれぞれ配置されるように形成されており、その両端を接続する仮想線分Ｌと折り畳み線１６とが、４５度の角度で互いに交差するように形成されている。
【００２０】
後面シート片１４は、組み立てられた三角柱状の包装体１の後面側となる部分であり、商品の説明や調理方法等が記載されている。
【００２１】
前面シート片１５は、組み立てられた三角柱状の包装体１の前面側となる部分であり、包装体１組み立て時において、外側を向く面に、商品の名称や、製造者名等の各種情報が記載されている。また、包装体１により包装される包装袋を商品購入者が視認できるように、前面シート片１５の一分部に開口部を形成してもよい。
【００２２】
本実施形態に係る包装体１は、上記のように構成されるシート１０を、その表面に形成された折曲線１１ａ，１１ｂ，１１ｃにて折り曲げると共に、接合用シート片１２と前面シート片１５とを接着剤により接合することにより形成される。
【００２３】
このようにして形成された三角柱状の包装体１は、底部シート片１３における折り畳み線１６を中心にして底部シート片１３を山折りに折り畳むことによって平面状の形状に変形させられる。その後、平面形状に変形された包装体１を複数束ねて、食品が収容された包装袋を三角柱状の包装体１の内部に収納する工程へと搬送されることになる。
【００２４】
食品が収容された包装袋を三角柱状の包装体１の内部に収納する工程においては、平面形状に変形された包装体１を三角柱状の形状に戻した後、食品が収容された包装袋をその内部に配置し、接着剤や接着シール等を用いて包装体１の内部に包装袋を固定する。このようにして製造された商品は、デパートやスーパーマーケット、コンビニエンスストア等の食品売り場に搬送され、商品陳列棚に立てた状態で配置される。
【００２５】
ここで、本実施形態に係る包装体１は、三角柱状の包装体１の底部に相当する底部シート片１３が、その一部分を起立させて起立部１３ａを形成するための切り込み線１７を備えており、更に、この切り込み線１７の両端を接続する仮想線分Ｌが、底部シート片１３に形成される折り畳み線１６と４５度の角度で交差するように形成されている。
【００２６】
したがって、三角柱状の包装体１の底部となる底部シート片１３の一部分を起立させて起立部１３ａを形成した場合、底部シート片１３が有する折り畳み線１６は、図３に示すように、起立部１３ａを挟んだ両側に配置される第１線分１６ａ及び第２線分１６ｂと、起立部１３ａに形成される第３線分１６ｃとに分けられることになる。そして、折り畳み線１６の第１線分１６ａと第２線分１６ｂとを同軸上に結ぶ直線と、起立部１３ａにおける折り畳み線１６の第３線分１６ｃとが、図３に示すように、平面視において、同一直線状に重ならないように配置されことになる。このように折り畳み線１６の第１〜第３線分１６ａ〜１６ｃが配置されることにより、折り畳み線１６の第３線分１６ｃが形成されていない起立部１３ａの一部領域１３ｂが、包装体１の底部の折り癖に対する抵抗として作用し、包装体１の底部が外側に撓んだ状態となることを効果的に防止することができる。この結果、包装体１の底部を確実にフラットな状態に維持することが可能となり、食品が収容された包装袋を包装体１により包装した商品を安定的に陳列棚に載置することができる。
【００２７】
以上、本発明に係る包装体１の一実施形態について説明したが、本発明の具体的な構成は上記実施形態に限定されない。例えば、上記実施形態においては、底部シート片１３に形成される切り込み線１７の両端を接続する仮想線分Ｌと折り畳み線１６とが、４５度の角度で互いに交差するように形成されているが、このような構成に特に限定されず、仮想線分Ｌと折り畳み線１６とが、９０度未満の角度で互いに交差するように切り込み線１７を形成することができる。特に、包装体１の底部における折り癖を効果的に解消するという観点からは、仮想線分Ｌと折り畳み線１６とが、１５度〜７５度の交差角度範囲となるように切り込み線１７を形成することが好ましい。
【００２８】
なお、切り込み線１７の両端を接続する仮想線分Ｌと折り畳み線１６との交差角度が９０度である場合、底部シート片１３における一部分を起立させて起立部１３ａを形成したとしても、図５の平面図に示すように、折り畳み線１６の第１線分１６ａ及び第２線分１６ｂを同軸状に結ぶ直線と、起立部１３ａに形成される折り畳み線１６の第３線分１６ｃとが、平面視において同一直線上に重なるように配置されることになってしまう。このため、折り畳み線１６の第３線分１６ｃが形成されていない起立部１３ａの一部領域１３ｂが、包装体１の底部の折り癖に対する抵抗として作用することが無く、包装体１の底部が外側に撓んだ状態となってしまう。この結果、包装体１により包装された商品を陳列棚に載置した場合に、商品が傾いてしまったり、人間の手が僅かに商品に当たった際に商品が揺れ動いたり、倒れてしまうということを効果的に抑制することが困難となる。
【００２９】
また、上記実施形態においては、底部シート片１３が備える切り込み線１７は、平面視において半円形状となるように形成されているが、このような形状に特に限定されない。例えば、図６（ａ）〜（ｃ）に示すように、Ｌ字状、コ字状、Ｕ字状となるように形成してもよい。
【００３０】
また、上記実施形態においては、底部シート片１３を画定する各折曲線１１ａ，１１ｂを直線状に形成しているが、例えば、図７に示すように、各折曲線１１ａ，１１ｂが、所定間隔をあけて配置される複数の直線状線１１１と、各直線状線の間に配置される張り出し線１１２とを備えるように形成してもよい。各張り出し線１１２は、底部シート片１３側に張り出すように形成されており、各張り出し線１１２の各端部は、隣接する直線状線１１１の端部に連結している。また、各張り出し線１１２は、シート１０を貫通するように構成されている。
【００３１】
このように底部シート片１３を画定する各折曲線１１ａ，１１ｂの形状を形成することにより、シート１０を折り曲げて三角柱状の包装体１を形成した場合、図８（ａ）（ｂ）に示すように、張り出し線１１２により囲まれるシート１０の一部分１３ｃが、包装体１の底面外方に向けて突出する足部を形成することになる。本発明に係る包装体１が、何らかの外力を受けることにより図１１に示すように、包装体の底部が、折り畳み線を中心にして外側に撓んだ状態となってしまった場合、底部シート片１３と後面シート片１４、底部シート片１３と前面シート片１５が構成する角度が大きくなり、転倒しやすい状態になる。このような状態になったとしても、シート１０の一部分１３ｃにより形成され、包装体１の底面外方に向けて突出する足部が、底部シート片１３と後面シート片１４または前面シート片１５とが構成する角度が大きくなるのを軽減させることができ、商品の載置安定性を高めることができる。さらに足部が、図８（ｂ）に示すように、斜め外側に突出しているため、底部シート片１３が外側へ引っ張られる力も発生するため、撓みを防止する効果もある。
【００３２】
また、上記実施形態においては、包装体１を形成するシート１０は、平面視矩形状の形状であるが、このような構成に特に限定されず、例えば、平面視楕円形状、或いは、平面視三角形状等の種々の形状を有するシート１０を折り曲げることにより包装体１を形成してもよい。
【図面の簡単な説明】
【００３３】
【図１】本発明の一実施形態に係る包装体を示す斜視図である。
【図２】図１に示す包装体の側面図である。
【図３】図２のＡ−Ａ断面図である。
【図４】図１に示す包装体の展開図である。
【図５】底部シート片に形成される切り込み線の両端を接続する仮想線分と折り畳み線との交差角度が９０度である場合の包装体底部の平面図である。
【図６】（ａ）〜（ｃ）底部シート片に形成される切り込み線の各種変形例を示すシートの要部平面図である。
【図７】底部シート片を画定する各折曲線の変形例を備えるシートの展開図である。
【図８】（ａ）は図７に示すシートにより形成された包装体の側面図であり、（ｂ）はそのＢ−Ｂ断面図である。
【図９】従来の包装体を示す斜視図である。
【図１０】図９に示す三角柱状の包装体を変形させて平面形状にした状態を示す側面図である。
【図１１】包装体の底部が、折り畳み線を中心にして外側に撓んだ状態を示す側面図である。
【符号の説明】
【００３４】
１  包装体
１０  シート
１１ａ〜１１ｃ  折曲線
１２  接合用シート片
１３  底部シート片
１３ａ  起立部
１４  後面シート片
１５  前面シート片
１６  折り畳み線
１６ａ  第１線分
１６ｂ  第２線分
１６ｃ  第３線分
１７  切り込み線
Ｌ  切り込み線の両端部を接続する仮想線分
【図１】
2010100291.tif 000003
【図２】
2010100291.tif 000004
【図３】
2010100291.tif 000005
【図４】
2010100291.tif 000006
【図５】
2010100291.tif 000007
【図６】
2010100291.tif 000008
【図７】
2010100291.tif 000009
【図８】
2010100291.tif 000010
【図９】
2010100291.tif 000011
【図１０】
2010100291.tif 000012
【図１１】
2010100291.tif 000013